【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
静磁場を発生させる静磁場発生手段と、
前記静磁場に重畳して傾斜磁場を発生させる傾斜磁場発生手段と、
被検体へ照射する高周波磁場を発生する高周波コイルと、
前記被検体からのＮＭＲ信号を検出するＮＭＲ信号受信部と、
前記検出されたＮＭＲ信号に基づく画像を生成する画像処理部と、
制御を行うための制御部と、
検査画面を含む情報を表示する表示装置と、を備え、
前記制御部は、前記被検体が植込み型デバイスの装着者であると判断すると前記検査画面に植込み型デバイスの装着者の検査であることを表す情報を表示し、さらに撮像のために入力されたパラメータが前記被検体に装着された前記植込み型デバイスに基づく撮像条件を満たすかどうかを判断し、前記撮像条件を満たさない場合に前記入力されたパラメータが前記撮像条件を満たさないことを前記表示装置に表示する、ことを特徴とする磁気共鳴イメージング装置。
【請求項２】
請求項１に記載の磁気共鳴イメージング装置において、
前記制御部は、前記被検体が植込み型デバイスの装着者であると判断すると前記植込み型デバイスが磁気共鳴イメージングの検査に対応した植込み型デバイスであるかどうかを判断し、前記植込み型デバイスが磁気共鳴イメージングの検査に対応した植込み型デバイスでない場合に、検査できないことを内容とする表示を前記表示装置に表示する、ことを特徴とする磁気共鳴イメージング装置。
【請求項３】
請求項２に記載の磁気共鳴イメージング装置において、
データベースを記憶する記憶装置がさらに設けられており、
前記データベースには、植込み型デバイスの装着者の磁気共鳴イメージングの検査に関する運用基準に基づく確認項目が記憶されており、
前記制御部は、前記運用基準に基づく前記確認項目を前記表示装置に表示し、前記確認項目に対する確認の入力が行われたことにより、磁気共鳴イメージングの検査のための処理を実行する、ことを特徴とする磁気共鳴イメージング装置。
【請求項４】
請求項３に記載の磁気共鳴イメージング装置において、
前記データベースには、植込み型デバイスに関する検査基準のデータが含まれており、
前記制御部は、前記被検体に装着された前記植込み型デバイスに関する検査基準のデータを前記データベースから読み出し、読み出した前記データに基づき前記被検体に装着された前記植込み型デバイスが磁気共鳴イメージングの検査に対応した植込み型デバイスであるかどうかを判断する、ことを特徴とする磁気共鳴イメージング装置。
【請求項５】
請求項３に記載の磁気共鳴イメージング装置において、
前記記憶装置に記憶された前記データベースには、植込み型デバイスに関する検査基準のデータが含まれており、
前記制御部は、前記植込み型デバイスに関する前記データベースの前記検査基準に従い撮像のために入力されたパラメータが前記被検体に装着された前記植込み型デバイスに基づく撮像条件を満たすかどうかを判断する、ことを特徴とする磁気共鳴イメージング装置。
【請求項６】
請求項５に記載の磁気共鳴イメージング装置において、
前記制御部は、前記植込み型デバイスに関する前記検査基準に従い撮像のために入力された前記パラメータが前記被検体に装着された前記植込み型デバイスに基づく前記撮像条件を満たすかどうかを判断し、前記撮像条件を満たさないと判断した場合には前記データベースの前記植込み型デバイスに関する前記検査基準に従って前記撮像条件を満たすパラメータを演算し、演算結果を候補として前記表示装置に表示する、ことを特徴とする磁気共鳴イメージング装置。
【請求項７】
請求項６に記載の磁気共鳴イメージング装置において、
前記制御部は、入力された前記パラメータが前記撮像条件を満たさないと判断した場合には、前記表示装置に前記撮像条件の制限値と前記演算された前記候補とを対比して表示する、ことを特徴とする磁気共鳴イメージング装置。
【請求項８】
請求項４又は請求項５に記載の磁気共鳴イメージング装置において、
さらに外部と通信を行う通信部を有し、
前記制御部は、前記被検体に装着された前記植込み型デバイスの情報が前記データベースに存在しないと判断した場合に、通信部を介して外部から前記植込み型デバイスに関する情報を取り込み、
前記制御部は、外部から取り込んだ情報に基づき、前記被検体に装着された前記植込み型デバイスが磁気共鳴イメージングの検査に対応しているかどうかの判断、あるいは入力された前記パラメータが前記被検体に装着された前記植込み型デバイスに基づく撮像条件を満たすかどうかの判断を行う、ことを特徴とする磁気共鳴イメージング装置。
【請求項９】
請求項１乃至請求項８のいずれか一項に記載の磁気共鳴イメージング装置において、
磁気共鳴イメージングの検査の終了後に、前記制御部は前記被検体に装着された前記植込み型デバイスの設定を検査前の設定に戻すための注意喚起の表示を行う、ことを特徴とする磁気共鳴イメージング装置。
【請求項１０】
請求項１乃至請求項９のいずれか一項に記載の磁気共鳴イメージング装置において、
前記制御部は、植え込み型デバイスの装着者の画像に対して植え込み型デバイスに関する情報を付与し、前記植え込み型デバイスの装着者の画像を表示する場合に前記植え込み型デバイスに関する情報の表示を合わせて行う、ことを特徴とする磁気共鳴イメージング装置。
【請求項１１】
請求項１０に記載の磁気共鳴イメージング装置において、
前記制御部は、前記植え込み型デバイスの装着者の画像を保存する場合に、合わせて前記植え込み型デバイスの装着者の画像に付与された前記植え込み型デバイスに関する情報を保存する、ことを特徴とする磁気共鳴イメージング装置。
【請求項１２】
請求項１１に記載の磁気共鳴イメージング装置において、
前記制御部は、表示された前記植え込み型デバイスに関する情報が選択されると、表示された前記情報に関する前記植え込み型デバイスの詳細情報を表示する、ことを特徴とする磁気共鳴イメージング装置。
【請求項１３】
静磁場を発生させる静磁場発生手段と、前記静磁場に重畳して傾斜磁場を発生させる傾斜磁場発生手段と、被検体へ照射する高周波磁場を発生する高周波コイルと、前記被検体からのＮＭＲ信号を検出するＮＭＲ信号受信部と、前記検出されたＮＭＲ信号に基づく画像を生成する画像処理部と、制御を行うための制御部と、検査画面を含む情報を表示する表示装置と、を備えた磁気共鳴イメージング装置の制御方法であって、
前記制御部は、前記被検体が植込み型デバイスの装着者であると判断するステップと、  前記検査画面に植込み型デバイスの装着者の検査であることを表す情報を表示するステップと、
さらに撮像のために入力されたパラメータが前記被検体に装着された前記植込み型デバイスに基づく撮像条件を満たすかどうかを判断するステップと、
前記撮像条件を満たさない場合に前記入力されたパラメータが前記撮像条件を満たさないことを前記表示装置に表示するステップと、を実行することを特徴とする磁気共鳴イメージング装置の制御方法。
【手続補正２】
【補正対象書類名】明細書
【補正対象項目名】０００３
【補正方法】変更
【補正の内容】
【０００３】
被検体に対して病気の治療のために、ペースメーカやステントあるいはその他色々な植込み型デバイス（Ｉｍｐｌａｎｔｅｄ  Ｍｅｄｉｃａｌ  Ｄｅｖｉｃｅ：ＩＭＤと以下記す）が使用される場合がある。例えばＩＭＤの一つであるペースメーカを例に挙げると、従来のペースメーカは磁場の影響が大きく、このためペースメーカの装着者に対するＭＲＩ検査は禁忌であった。しかし近年条件付きでＭＲＩ検査が可能となるペースメーカが開発され、実際に使用されている。またＭＲＩ対応の植込み型デバイスの装着者のためのＭＲＩ検査の施設基準が策定されている。ペースメーカ以外の植込み型デバイスに関しても同様の状況と考えることができ、例えばステントに関しても、ＭＲＩ検査が可能となる製品が開発されつつある。
【手続補正３】
【補正対象書類名】明細書
【補正対象項目名】０００６
【補正方法】変更
【補正の内容】
【０００６】
以前はＩＭＤを装着している被検体のＭＲＩ検査が禁忌であった。しかし条件付きでＭＲＩ検査が可能なＩＭＤが開発されつつある。ＩＭＤの装着者に対してＭＲＩ検査を行う場合には、安全に十分配慮することが必要であり、そのためにＭＲＩ検査においては厳しい実施条件を策定し、実施条件に沿って検査を行うことが必要である。仮に人的なミスが発生したとすると、大事故に繋がる恐れがある。このため装置の利用者側において検査方法の検討など、安全性を維持するための検討が色々なされることが望ましい。また装置の利用者側からの検討だけでなく、装置側からも安全性を高める工夫が必要である。
【手続補正４】
【補正対象書類名】明細書
【補正対象項目名】００１５
【補正方法】変更
【補正の内容】
【００１５】
処理部６０は、上述したＣＰＵ１４や外部記憶装置６１、入出力装置９０、通信部７０を有している。外部記憶装置６１は以下で説明するデータベース６１０（図５）を有しており、データベース６１０はＩＭＤに関する色々な情報を記憶しているあるいは記憶する機能を備えている。ＭＲＩ装置１００は外部のシステム、例えばＩＭＤに関する色々な情報を提供するデータセンタ７４が有するシステムあるいはＭＲＩ装置１００のユーザが有するユーザシステム７２、と情報の送受信を行うための通信部７０を備えている。以下で説明する操作により、例えばＩＭＤに関する必要な情報をデータセンタ７４から受け取り外部記憶装置６１が有するデータベース６１０に記憶することができる。